(57)【要約】【課題】天板を容易な作業で、高精度に且つ高強度に固定できるユニット家具を提供する。【解決手段】ユニット家具において、四角形に形成され左右の辺部３３のそれぞれの下面に被締結孔３７を有する天板１３と、天板１３の左右の辺部３３における何れかの被締結孔に一致する貫通孔を脚上端面に有し貫通孔に通した締結具４３が被締結孔に螺合されて天板１３の左右の辺部３３の何れかに固定される脚部１５と、引き出し４５を多段に備えて自立し、天板１３の左右の辺部３３における双方の被締結孔に一致する共用貫通孔３５が、袖部上端面４７に左右対称に２組設けられ、この共用貫通孔３５の１組に通した締結具が被締結孔に螺合されて天板１３の左右の辺部３３の何れに対しても固定可能となり、且つ袖部上端面４７に固定された天板１３の辺部３３からはみ出した他方の１組の共用貫通孔３５には他の天板１３が連結可能となる袖部１７と、を設けた。【選択図】  図８
0003215275.tif 000002
【実用新案登録請求の範囲】
【請求項１】
四角形に形成され左右の辺部のそれぞれの下面に被締結孔を有する天板と、
前記天板の左右の辺部における何れか一方の前記被締結孔に一致する貫通孔を脚上端面に有し前記貫通孔に通した締結具が前記被締結孔に螺合されて前記天板の左右の辺部の何れか一方に固定される脚部と、
引き出しを多段に備えて自立し、前記天板の左右の辺部における双方の前記被締結孔に一致する共用貫通孔が、四角形に形成された袖部上端面に左右対称に２組設けられ、この共用貫通孔の何れか１組に通した締結具が前記被締結孔に螺合されて前記天板の左右の辺部の何れに対しても固定可能となり、且つ前記袖部上端面の１組の前記共用貫通孔に固定された前記天板の前記辺部からはみ出した他方の１組の前記共用貫通孔には他の天板が連結可能となる袖部と、
を具備することを特徴とするユニット家具。
【請求項２】
請求項１記載のユニット家具であって、
前記共用貫通孔は、前記袖部上端面における四角形の各角部に設けた４つの隅孔と、前記四角形の対角線の交点に設けた１つの共用孔とからなる５つの孔が１組で設けられていることを特徴とするユニット家具。
【請求項３】
請求項２記載のユニット家具であって、
前記共用孔が、左右方向に長い長孔で形成されていることを特徴とするユニット家具。
【考案の詳細な説明】
【技術分野】
【０００１】
本考案は、ユニット家具に関する。
【背景技術】
【０００２】
机を横に並べて設置する場合、同じ机であったとしても、その境目で段差が生じたり、隙間が生じたりすることがある。このような不具合を解消するものとして、特許文献１に開示されるユニットデスクが提案されている。このユニットデスクは、四隅部の下方に脚体が突出して設けられた矩形の基準支持枠体と、二隅部の下方に拡張脚体が突出して設けられた矩形の拡張支持枠体と、を具備する。直線方向又は直角方向に配置された基準支持枠体及び拡張支持枠体の上面には、これら枠体を連結するように、少なくとも二枚の天板が、固定具を介して着脱自在に設けられる。天板が設けられた状態で、拡張脚体は、その上方の天板の外端部側に位置する。
【０００３】
このユニットデスクは、直線方向又は直角方向への拡張時或いはレイアウト変更時において、天板を分離した状態の基準支持枠体及び拡張支持枠体を、床面上に配置した状態で、天板と各支持枠体の相互間を固定具により連結する。
【０００４】
従って、このユニットデスクによれば、天板の継目間に支持枠が位置することで、ズレや隙間が防止でき、天板を組み合わせることで、天板全長などの広さを変えられるデスクを組み立てることができる。
【先行技術文献】
【特許文献】
【０００５】
【特許文献１】特開２００７−２１１０４号公報
【考案の概要】
【考案が解決しようとする課題】
【０００６】
しかしながら、二隅部に拡張脚体が突出する拡張支持枠体は、自立しない。このため、基準支持枠体との連結時には、拡張支持枠体がぐらつき、作業しにくい。また、自立しない拡張支持枠体を固定具のみにより連結するため、安定せず、十分な頑丈さが得にくい。
【０００７】
本考案は上記状況に鑑みてなされたもので、その目的は、天板を容易な作業で、高精度に且つ高強度に固定できるユニット家具を提供することにある。
【課題を解決するための手段】
【０００８】
次に、上記の課題を解決するための手段を、実施の形態に対応する図面を参照して説明する。
本考案の請求項１記載のユニット家具は、四角形に形成され左右の辺部３３のそれぞれの下面に被締結孔３７を有する天板１３と、
前記天板１３の左右の辺部３３における何れか一方の前記被締結孔３７に一致する貫通孔３９を脚上端面４１に有し前記貫通孔３９に通した締結具４３が前記被締結孔３７に螺合されて前記天板１３の左右の辺部３３の何れか一方に固定される脚部１５と、
引き出し４５を多段に備えて自立し、前記天板１３の左右の辺部３３における双方の前記被締結孔３７に一致する共用貫通孔３５が、四角形に形成された袖部上端面４７に左右対称に２組設けられ、この共用貫通孔３５の何れか１組に通した締結具４３が前記被締結孔３７に螺合されて前記天板１３の左右の辺部３３の何れに対しても固定可能となり、且つ前記袖部上端面４７の１組の前記共用貫通孔３５に固定された前記天板１３の前記辺部３３からはみ出した他方の１組の前記共用貫通孔３５には他の天板１３が連結可能となる袖部１７と、
を具備することを特徴とする。
【０００９】
このユニット家具では、脚部１５が、天板１３の左右の辺部３３の何れか一方に固定される。脚部１５には、右側と、左側の２種がある。一方、袖部１７は、天板１３の左右の辺部３３における双方の被締結孔３７に一致する共用貫通孔３５が、袖部上端面４７に左右対称に２組設けられる。袖部１７は、１組の共用貫通孔３５により、天板１３の左右の辺部３３の何れに対しても固定可能となる。袖部１７には、この共用貫通孔３５が、２組設けられている。このため、袖部１７には、１組の共用貫通孔３５に天板１３の辺部３３を固定し、もう１組の共用貫通孔３５に他の天板１３の辺部３３を固定することができる。すなわち、袖部１７は、２枚の天板１３を、連結することができる。袖部１７は、自立する。天板１３と袖部１７との固定は、一方の辺部３３に脚部１５を固定した天板１３の他方の辺部３３を、袖部上端面４７に載置して仮保持できる。この状態で、袖部上端面４７の共用貫通孔３５に締結具４３を通して、締結具４３を被締結孔３７に容易に締結することができる。
袖部１７は、袖部上端面４７に、予め２組の共用貫通孔３５が、工場にて加工されているので、２枚の天板１３を隙間なく高精度に連結できる。
また、袖部１７は、自立し、袖部上端面４７に載置した天板１３の辺部３３を固定するので、自立しない従来の拡張支持枠体に天板１３を固定する場合に比べ、天板１３との固定強度を高めることができ、また、安定する。
【００１０】
本考案の請求項２記載のユニット家具は、請求項１記載のユニット家具であって、
前記共用貫通孔３５は、前記袖部上端面４７における四角形の各角部に設けた４つの隅孔４９と、前記四角形の対角線の交点に設けた１つの共用孔５１とからなる５つの孔が１組で設けられていることを特徴とする。
【００１１】
このユニット家具では、１組の共用貫通孔３５が、４つの隅孔４９と、１つの共用孔５１とからなる。この共用貫通孔３５は、４つの隅孔４９のうち、左側で前後に並ぶ２つの隅孔４９と、右側で前後に並ぶ２つの隅孔４９とが、それぞれ左側用、右側用として使用される。４つの隅孔４９の中央に位置する１つの共用孔５１は、左側及び右側で共用される。
例えば天板１３の右側の辺部３３を、袖部１７の端に合わせて固定する場合には、右側の１組における右側で前後に並ぶ２つの隅孔４９と共用孔５１との３つの孔が使用される。また、天板１３の右側の辺部３３を、袖部１７の左側に固定して、右側に他の天板１３を連結する場合には、左側の１組における右側で前後に並ぶ２つの隅孔４９と共用孔５１との３つの孔が、左側の天板１３の右側の辺部固定用に使用される。他の天板１３の左側の辺部固定用には、右側の１組における左側で前後に並ぶ２つの隅孔４９と共用孔５１との３つの孔が使用される。
袖部１７は、５つの孔からなる１組の共用貫通孔３５を、左右に２組備えることにより、天板１３の端用としても、天板１３の連結用としても使用が可能となる。
また、この際、天板１３に対する固定は、３点止め（３点支持）となるので、２点支持に比べ、ぐらつきを抑制でき安定する。
【００１２】
本考案の請求項３記載のユニット家具は、請求項２記載のユニット家具であって、
前記共用孔５１が、左右方向に長い長孔で形成されていることを特徴とする。
【００１３】
このユニット家具では、共用孔５１を、左右方向に長い長孔で形成したことで、製造公差を吸収でき、各部材の加工精度を高めなくても、締結作業を容易にすることができる。また、共用孔５１を１つではなく近接する２つの孔で構成する場合には孔同士の間隔距離によっては破損する虞があるが、１つの長孔である共用孔５１とすることで、破損を防ぎ、また、加工しやすくなる、
【考案の効果】
【００１４】
本考案に係る請求項１記載のユニット家具によれば、天板を容易な作業で、高精度に且つ高強度に固定でき、安定したユニット家具を提供できる。
【００１５】
本考案に係る請求項２記載のユニット家具によれば、天板を高精度に且つ高強度に固定できる。
【００１６】
本考案に係る請求項３記載のユニット家具によれば、製造しやすく、且つ、製造公差を吸収して天板の固定作業性を容易にすることができる。
【図面の簡単な説明】
【００１７】
【図１】本考案の実施形態に係るユニットデスクが２連デスクに適用された場合の斜視図である。
【図２】図１の２連デスクを構成可能な部材セット例を表す斜視図である。
【図３】天板の辺部と袖部の共用貫通孔との固定位置関係を表す要部平面図である。
【図４】２枚の天板と袖部との連結位置関係を表す要部平面図である。
【図５】袖部により連結された２枚の天板の要部平面図である。
【図６】袖部における組付前の準備作業の工程を表す手順説明図である。
【図７】天板における連結前の準備工程を斜視（ａ）、平面視（ｂ）で表す手順説明図である。
【図８】天板と袖部との組付工程を表す手順説明図である。
【図９】図８の背面図である。
【図１０】他の天板と袖部との組付工程を表す手順説明図である。
【図１１】余った部材で脇机を組み立てる工程の分解斜視図である。
【図１２】脇机の斜視図である。
【考案を実施するための形態】
【００１８】
以下、本考案に係る実施形態を図面を参照して説明する。
図１は本考案の実施形態に係るユニット家具が２連デスク１１に適用された場合の斜視図である。なお、本実施形態において、上下前後左右の方向は、図１に示した矢印の方向に従う。
本実施形態に係るユニット家具は、天板１３と、脚部１５と、袖部１７と、主要な構成部材として有する。
【００１９】
ユニット家具は、これらの天板１３と、脚部１５と、袖部１７と、を必要数使用することにより、単体のデスクや、種々に組み合わせた連結デスクを作ることができる。例えば最小単位の単体のデスクは、１枚の天板１３と、１つの脚部１５と、１つの袖部１７とにより組み立てることができる。また、デスク２台と、袖部１台とを連結した２連デスク１１や、デスク３台と、袖部２台とを連結した３連デスクなどを作ることができる。
【００２０】
さらに、ユニット家具は、上記の構成部材に加え、ケーブルボックス１９の設けられた背板２１、幕板２３（図２参照）、袖背板２５（図２参照）の他、例えば袖天板２７などのオプション部材を備える。
【００２１】
本実施形態では、ユニット家具が、デスク２台と、袖部１台とを連結した図１に示す２連デスク１１である場合を例に説明する。
【００２２】
図２は図１の２連デスク１１を構成可能な部材セット例を表す斜視図である。
２連デスク１１は、２台のデスクと、１台の袖部１７とにより作ることができる。それぞれのデスクは、１つの天板１３と、１つの幕板２３と、１つの背板２１と、２つの脚部１５とからなる組合せである。袖部１７は、１つの袖部本体２９と、１つの袖背板２５とからなる。本実施形態では、この他、オプション部材である袖天板２７を使用することにより、余った２つの脚部１５を有効に活用して脇机３１（図１２参照）が作られる。
【００２３】
図３は天板１３の辺部３３と袖部１７の共用貫通孔３５との固定位置関係を表す要部平面図である。
天板１３は、四角形に形成され左右の辺部３３のそれぞれの下面に、被締結孔を有する。本実施形態において、被締結孔は、埋込ナット３７である。埋込ナット３７の位置は、天板１３の左右の辺部３３において、底辺を辺部３３に沿う方向として、頂角を天板１３の中央側に配置した二等辺三角形の各角部の３箇所で設けられる。従って、前後方向中間の埋込ナット３７は、天板１３の中央方向に位置ズレしている。
【００２４】
脚部１５は、図２に示した右側と、左側の２種がある。右脚部は、天板１３の右側の辺部３３における埋込ナット３７の位置に一致する３つの貫通孔３９（図７参照）を脚上端面４１（図７参照）に有する。また、左脚部は、天板１３の左側の辺部３３における埋込ナット３７の位置に一致する３つの貫通孔３９を脚上端面４１に有する。
【００２５】
貫通孔３９には、脚上端面４１の下側より、締結具であるボルト４３の挿通が可能となる。貫通孔３９に挿通されたボルト４３は、天板１３の埋込ナット３７に螺合する。脚部１５は、貫通孔３９に通したボルト４３が埋込ナット３７に螺合されて、天板１３の左右の辺部３３の何れかに固定される。
【００２６】
袖部１７は、複数、本実施形態では３つの引き出し４５を出し入れ自在として多段に備えている。袖部１７は、例えば外形が柱状の直方体で形成され、安定的に自立する。袖部１７は、四角形に形成された袖部上端面４７が平坦な面で形成される。この袖部上端面４７には、１つの天板１３の端や、２つの天板１３の端同士が載置・固定される。すなわち、袖部１７は、脚や連結脚の役割を果たす。
【００２７】
袖部上端面４７には、共用貫通孔３５が左右対称に２組設けられる。それぞれの共用貫通孔３５は、天板１３の左右の辺部３３における双方の埋込ナット３７に一致する。共用貫通孔３５には、袖部上端面４７の下側より、ボルト４３の挿通が可能となる。共用貫通孔３５に挿通されたボルト４３は、天板１３の埋込ナット３７に螺合する。袖部１７は、この共用貫通孔３５の何れか１組に通したボルト４３が埋込ナット３７に螺合されて、天板１３の左右の辺部３３の何れに対しても固定可能となる。この場合、袖部１７は、天板１３における脚の役割を果たす。
【００２８】
また、袖部１７は、袖部上端面４７の１組の共用貫通孔３５に固定された天板１３の辺部３３からはみ出した他方の１組の共用貫通孔３５に、他の天板１３が連結可能となる。この場合、袖部１７は、連結脚の役割を果たす。
【００２９】
共用貫通孔３５は、袖部上端面４７における四角形の各角部に設けた４つの隅孔４９と、四角形の対角線の交点に設けた１つの共用孔５１とからなる５つの孔が１組で設けられている。袖部上端面４７には、この５つ１組の孔が、左右方向の中心を前後に通る中心線５３を境に、左右対称に２組設けられている。
【００３０】
また、それぞれの組の共用貫通孔３５は、中央の共用孔５１が、左右方向に長い長孔で形成されている。
【００３１】
図３に示すように、２組の共用貫通孔３５は、例えば「天板１３及び袖部１７の右端同士を揃える場合」、右側の組の共用貫通孔３５が使用される。また、２組の共用貫通孔３５は、例えば「他の天板１３と連結する場合」、左側の天板１３の固定に、左側の組の共用貫通孔３５が使用される。
【００３２】
このため、埋込ナット３７と共用貫通孔３５とは、埋込ナット３７と天板１３の右端との距離ａと、左側の共用貫通孔３５と中心線５３との距離ａと、右側の共用貫通孔３５と袖部１７の右端との距離ａとが等しくなっている。
【００３３】
図４は２枚の天板１３と袖部１７との連結位置関係を表す要部平面図である。
ユニット家具は、天板同士を連結する場合、左側の天板１３が、袖部１７の左側の共用貫通孔３５を使用して固定され、右側の天板１３は、袖部１７の右側の共用貫通孔３５を使用して固定される。
【００３４】
図５は袖部１７により連結された２枚の天板１３の要部平面図である。
図４に示した天板同士の連結では、それぞれの天板１３を固定するそれぞれの共用貫通孔３５は、２つの隅孔４９と、共用孔５１との３つの孔が使用される。
【００３５】
次に、２連デスク１１の組み立て手順を説明する。
図６は袖部１７における組付前の準備作業の工程を表す手順説明図である。
２連デスク１１を組み立てるには、先ず、袖部１７の上２段の引き出し４５を外して、前面開口５５を開ける。この前面開口５５は、袖部上端面４７の下面側からのボルト４３の挿通を可能とする。
【００３６】
図７は天板１３における連結前の準備工程を斜視（ａ）、平面視（ｂ）で表す手順説明図である。
次いで、左側のデスクの右側の脚部１５を外す。この際、同時に幕板２３と背板２１とを、脚部１５から外す。
【００３７】
図８は天板１３と袖部１７との組付工程を表す手順説明図である。
次いで、脚部１５を外した天板１３の右端を、袖部上端面４７に載置する。袖部１７の前面開口５５を利用して左側の共用貫通孔３５からボルト４３を挿通する。挿通したボルト４３を天板１３の右端の埋込ナット３７に螺合する。
【００３８】
図９は図８の背面図である。
同時に、袖部上端面４７に天板１３の右端を載置した際、左側のデスクの幕板２３と背板２１とを、袖部１７の背面に設けられている埋込ナット３７にボルト４３を用いて螺着する。
【００３９】
図１０は他の天板１３と袖部１７との組付工程を表す手順説明図である。
次いで、脚部１５を外した右側のデスクの天板１３の左端を、袖部上端面４７に載置する。袖部１７の前面開口５５を利用して右側の共用貫通孔３５からボルト４３を挿通する。挿通したボルト４３を右側の天板１３の左端の埋込ナット３７に螺合する。同時に、袖部上端面４７に天板１３の左端を載置した際、右側のデスクの幕板２３と背板２１とを、袖部１７の背面に設けられている埋込ナット３７にボルト４３を用いて螺着する。
【００４０】
袖部１７の前面開口５５には、取り外した引き出し４５を再び取り付ける。
【００４１】
これにより、左側のデスクと右側のデスクとを、袖部１７にて連結した２連デスク１１の組立が完了する。
【００４２】
図１１は余った部材で脇机３１を組み立てる工程の分解斜視図、図１２は脇机３１の斜視図である。
２台のデスクと袖部１７とを用いて２連デスク１１を組み立てると、それぞれのデスクから外した左右の脚部１５と、袖部１７の背面から外した袖背板２５とが余る。これら左右の脚部１５と袖背板２５とは、オプション部材である袖天板２７を追加することにより、図１２に示す脇机３１を作ることができる。
【００４３】
脇机３１を組み立てるには、先ず、左右の脚部１５の背面に袖背板２５をボルト４３で固定する。次いで、連結されて自立した左右の脚部１５の脚上端面４１に、袖背板２５を載置する。それぞれの脚上端面４１の下側から貫通孔３９にボルト４３を挿通して、袖背板２５の下面に設けられている埋込ナット３７に螺合する。これにより、余った脚部１５と袖背板２５を有効利用した脇机３１を作ることができる。
【００４４】
次に、上記した構成の作用を説明する。
本実施形態に係る２連デスク１１では、脚部１５が、天板１３の左右の辺部３３の何れか一方に固定される。脚部１５には、右側と、左側の２種がある。一方、袖部１７は、天板１３の左右の辺部３３における双方の埋込ナット３７に一致する共用貫通孔３５が、袖部上端面４７に左右対称に２組設けられる。袖部１７は、１組の共用貫通孔３５により、天板１３の左右の辺部３３の何れに対しても固定可能となる。
【００４５】
袖部１７には、この共用貫通孔３５が、２組設けられている。このため、袖部１７には、１組の共用貫通孔３５に天板１３の辺部３３を固定し、もう１組の共用貫通孔３５に他の天板１３の辺部３３を固定することができる。すなわち、袖部１７は、２枚の天板１３を、連結することができる。袖部１７は、自立する構成である。天板１３と袖部１７との固定は、一方の辺部３３に脚部１５を固定した天板１３の他方の辺部３３を、袖部上端面４７に載置して仮保持できる。この状態で、袖部上端面４７の共用貫通孔３５にボルト４３を通して、ボルト４３を埋込ナット３７に容易に締結することができる。
【００４６】
袖部１７は、袖部上端面４７に、予め２組の共用貫通孔３５が、工場にて加工されているので、２枚の天板１３を隙間なく高精度に連結でき、連続した天板を構成できる。
【００４７】
また、袖部１７は、自立し、袖部上端面４７に載置した天板１３の辺部３３を固定するので、自立しない従来の拡張支持枠体に天板１３を固定する場合に比べ、天板１３との固定強度を高めることができ、ぐらつきの無い安定した構成となる。２連デスク１１は、袖部１７を備える組合せにより、袖部１７を天板１３の連結部分に設定して、頑丈な机を構築できる。そして、２連デスク１１は、袖部１７によって、２つの天板１３を連結状態にでき、容易な連結作業で、ズレなく、隙間無く、連続面となる広い天板の２連デスク１１を構築できる。
【００４８】
また、この２連デスク１１では、１組の共用貫通孔３５が、４つの隅孔４９と、１つの共用孔５１とからなる。この共用貫通孔３５は、４つの隅孔４９のうち、左側で前後に並ぶ２つの隅孔４９と、右側で前後に並ぶ２つの隅孔４９とが、それぞれ左側用、右側用として使用される。４つの隅孔４９の中央に位置する１つの共用孔５１は、左側及び右側で共用される。
【００４９】
例えば天板１３の右側の辺部３３を、袖部１７の端に合わせて固定する場合には、右側の１組における右側で前後に並ぶ２つの隅孔４９と共用孔５１との３つの孔が使用される。また、天板１３の右側の辺部３３を、袖部１７の左側に固定して、右側に他の天板１３を連結する場合には、左側の１組における右側で前後に並ぶ２つの隅孔４９と共用孔５１との３つの孔が、左側の天板１３の右側の辺部固定用に使用される。他の天板１３の左側の辺部固定用には、右側の１組における左側で前後に並ぶ２つの隅孔４９と共用孔５１との３つの孔が使用されることになる。
【００５０】
なお、天板１３の左側の辺部３３を袖部１７の端に固定する場合は、上記と逆の組の共用貫通孔３５を使用して固定が可能となる。
【００５１】
そして、袖部１７は、５つの孔からなる１組の共用貫通孔３５を、２組備えることにより、天板１３の端用としても、天板１３の連結用としても使用が可能となる。
【００５２】
この際、天板１３に対する固定は、３点止め（３点支持）となるので、２点支持に比べ、ぐらつきを抑制できる。その結果、天板１３を高精度に（段差無く）且つ高強度に固定できる。
【００５３】
さらに、この２連デスク１１では、共用孔５１を、左右方向に長い長孔で形成したことで、製造公差を吸収でき、各部材の加工精度を高めなくても、締結作業を容易にすることができる。その結果、製造公差を吸収して天板１３の固定作業性を容易にすることができる。また、この共用孔５１を１つではなく近接する２つの孔で構成する場合には孔同士の間隔距離によっては破損する虞があるが、１つの長孔である共用孔５１とすることで、破損を防ぎ、また、加工しやすくなる、
【００５４】
従って、本実施形態に係る２連デスク１１によれば、天板１３を容易な作業で、高精度に且つ高強度に固定できる。
【符号の説明】
【００５５】
１１…ユニット家具（２連デスク）
１３…天板
１５…脚部
１７…袖部
３３…辺部
３５…共用貫通孔
３７…被締結孔（埋込ナット）
３９…貫通孔
４１…脚上端面
４３…締結具（ボルト）
４５…引き出し
４７…袖部上端面
４９…隅孔
５１…共用孔
【図１】
0003215275.tif 000003
【図２】
0003215275.tif 000004
【図３】
0003215275.tif 000005
【図４】
0003215275.tif 000006
【図５】
0003215275.tif 000007
【図６】
0003215275.tif 000008
【図７】
0003215275.tif 000009
【図８】
0003215275.tif 000010
【図９】
0003215275.tif 000011
【図１０】
0003215275.tif 000012
【図１１】
0003215275.tif 000013
【図１２】
0003215275.tif 000014